(57)【要約】      （修正有）【課題】ピークカットが終了して再び冷却しようとするとき、室内温度上昇の抑制を図った自動販売機を提供する。【解決手段】第１冷却加温室２、第２冷却加温室３及び冷却専用室４に、それぞれ並列に接続配置される第１〜第３蒸発器と、これら第１〜第３蒸発器に冷媒を供給する圧縮機７とを備える自動販売機において、第１〜第３蒸発器には、それぞれ第１〜第３蒸発器に冷媒を供給するために開閉する第１〜第３電磁弁１３，１４，１５が接続され、ピークカット時間帯が過ぎて冷却を再開するとき、ピークカットが終了して再び冷却しようとするとき、圧縮機７が起動する前に、最も温度の高い室内の蒸発器に接続された電磁弁を開放するのではなく、最も温度の低い室内の蒸発器に接続された電磁弁を最初に開く。【選択図】図３
2016170691.tif 000002
【特許請求の範囲】
【請求項１】
複数の商品収納室にそれぞれ並列に接続配置されて各室内を冷却する冷凍サイクルの蒸発器と、前記蒸発器に冷媒を供給する圧縮機と、前記蒸発器に冷媒を供給するために開閉する開閉弁とを備え、冷却運転を強制停止するピークカットを行う自動販売機において、ピークカット終了による前記圧縮機の運転開始に先だって、室内温度の最も低い前記商品収納室の前記蒸発器に繋がる前記開閉弁のみを最初に開放する開閉弁制御部を備えたことを特徴とする自動販売機。
【請求項２】
前記開閉弁制御部は、室内温度の最も低い前記商品収納室の前記蒸発器に繋がる前記開閉弁を開放してから所定時間経過後に他の前記商品収納室の前記蒸発器に繋がる前記開閉弁を開放することを特徴とする請求項１に記載の自動販売機。
【請求項３】
前記開閉弁制御部は、前記圧縮機の運転開始と同時に室内温度の最も低い前記商品収納室の前記蒸発器に繋がる前記開閉弁を解放してから所定時間経過後に、他の前記商品収納室の前記蒸発器に繋がる前記開閉弁を開放することを特徴とする請求項１に記載の自動販売機。
【請求項４】
複数の商品収納室にそれぞれ並列に接続配置されて各室内を冷却する冷凍サイクルの蒸発器と、前記蒸発器に冷媒を供給する圧縮機と、前記蒸発器に冷媒を供給するために開閉する開閉弁とを備え、冷却運転を強制停止するピークカットを行う自動販売機において、ピークカット終了による前記圧縮機の運転開始に先だって、吸熱量の最も少ない前記商品収納室の前記蒸発器に繋がる前記開閉弁のみを最初に開放する開閉弁制御部を備えたことを特徴とする自動販売機。
【請求項５】
前記開閉弁制御部は、吸熱量の最も少ない前記商品収納室の前記蒸発器に繋がる前記開閉弁を開放してから所定時間経過後に他の前記商品収納室の前記蒸発器に繋がる前記開閉弁を開放することを特徴とする請求項４に記載の自動販売機。
【請求項６】
前記開閉弁制御部は、前記圧縮機の運転開始と同時に吸熱量の最も少ない前記商品収納室の前記蒸発器に繋がる前記開閉弁を解放してから所定時間経過後に、他の前記商品収納室の前記蒸発器に繋がる前記開閉弁を開放することを特徴とする請求項４に記載の自動販売機。
【発明の詳細な説明】
【技術分野】
【０００１】
本発明は、冷凍サイクルを用いて缶飲料などの商品を冷却または加温して販売する自動販売機に関する。
【背景技術】
【０００２】
一般に、缶飲料などの商品を収納する複数の商品収納室と、これら商品収納室にそれぞれ各室内を冷却する冷凍サイクルの蒸発器と、これら蒸発器に冷媒を供給する圧縮機とを備える自動販売機が知られている。
【０００３】
夏場のピーク時（例えば１３時から１６時）の消費電力を低減するために、自動販売機では冷却を停止するピークカット制御が行われている。ピークカット制御は圧縮機やファンを停止して消費電力を低減している。
【０００４】
ピークカット中の冷却停止により、自動販売機の商品収納庫に格納されている冷却商品温度が上昇する。自動販売機は主に３つの室内に分割されており、自動販売機の外側の室内は侵入熱量が多いので室内温度上昇は大きく、内側の室内は両サイドが冷却された室内に挟まれているので室内温度上昇が小さい。
【０００５】
ピークカット終了直後は、外側の室内の温度が高く、内側の室内の温度が低くなっているので、ピークカット時間帯が過ぎて冷却を再開するとき、温度の高い室内の蒸発器に冷媒を優先して供給して、より早く冷却しようとするものが提案されている（例えば、特許文献１参照）。
【先行技術文献】
【特許文献】
【０００６】
【特許文献１】特開平１０−８３４８２号公報
【発明の概要】
【発明が解決しようとする課題】
【０００７】
しかしながら、従来の構成では、ピークカットが終了して再び冷却しようとするとき、最も温度の高い室内の蒸発器に接続された電磁弁を最初に開放することとなり、冷凍サイクル内の高温高圧の冷媒が最も多く流入して、ピークカットによる温度上昇に加えて、高温高圧の冷媒の流入によりさらに室内温度が上昇するといった問題が生じていた。
【０００８】
本発明は、上述した事情を鑑みてなされたものであり、ピークカットが終了して再び冷却しようとするとき、室内温度上昇の抑制を図った自動販売機を提供することを目的とする。
【課題を解決するための手段】
【０００９】
上記従来の課題を解決するために、本発明は、複数の商品収納室にそれぞれ並列に接続配置されて各室内を冷却する冷凍サイクルの蒸発器と、これら蒸発器に冷媒を供給する圧縮機とを備える自動販売機において、各蒸発器には、それぞれ蒸発器に冷媒を供給するために開閉する開閉弁が接続され、ピークカットが終了して再び冷却しようとするとき、前記圧縮機が起動する前に、最も温度の高い室内の蒸発器に接続された電磁弁を解放するのではなく、最も温度の低い室内の蒸発器に接続された電磁弁を最初に開く開閉弁制御部を備えたのである。
【００１０】
これにより、ピークカットが終了して再び冷却しようとするとき、室内温度上昇の抑制を図ることができる。
【発明の効果】
【００１１】
本発明によれば、ピークカットが終了して再び冷却しようとするとき、圧縮機が起動する前に、最も温度の高い室内の蒸発器に接続された電磁弁を解放するのではなく、最も温度の低い室内の蒸発器に接続された電磁弁を最初に開くこととなり、最も温度の低い室内の蒸発器に高温高圧冷媒が供給されて、この室内の温度が上昇し、最も温度の高い室内の蒸発器には高温高圧の冷媒が供給されず、更なる温度上昇を防止することができる。
【００１２】
これにより、ピークカットが終了して冷却商品が販売されるとき、ぬるい商品を販売することを防止できるととともに、次のピークカットに向けて冷やしこむ時間を短縮することができる。
【００１３】
さらに、最も温度の低い室内の蒸発器に接続された電磁弁を開放して所定の時間経過後に他の室内の蒸発器に接続された電磁弁を随時開放することで、高温高圧の冷媒が流れる流路が増えることとなり、圧縮機が起動する前に、冷凍サイクルの高圧側と低圧側の圧力差をより早く均一にすることができ、圧縮機の起動負荷を低減することができる。
【図面の簡単な説明】
【００１４】
【図１】本発明の実施の形態にかかる自動販売機の冷媒回路図
【図２】本発明の実施の形態にかかる自動販売機のコントローラの機能ブロック図
【図３】本発明の実施の形態にかかる自動販売機の各商品収納室の圧縮機及び電磁弁のタイムチャート
【図４】本発明の別の実施の形態にかかる自動販売機の圧縮機及び電磁弁のタイムチャート
【図５】本発明の別の実施の形態にかかる自動販売機の冷媒回路図
【発明を実施するための形態】
【００１５】
以下、本発明の一実施の形態について、図面を参照しながら説明する。なお、この実施の形態によって本発明が限定されるものではない。
【００１６】
図１は、本実施の形態にかかる自動販売機の冷媒回路図である。
【００１７】
自動販売機１００は、図１に示すように、缶飲料等の商品を収納する商品収納庫１と商品収納庫１の下部に配置された機械室（図示せず）とを有する。商品収納庫１内は３つの区画に区分けされ、収納する商品を冷却もしくは加温する第１冷却加温室２、第２冷却加温室３（ホット／コールド切替商品収納室）、収納する商品を冷却する冷却専用室４（コールド専用商品収納室）を有する。
【００１８】
第１冷却加温室２、第２冷却加温室３及び冷却専用室４を特段区別する必要が無い場合には、単に商品収納室または室という。また、それぞれの室内には商品収納棚（図示せず）が上部に吊り下げられており、商品が内部に収納されている。
【００１９】
また、自動販売機１００は、二酸化炭素冷媒が循環する冷凍サイクル５を備え、この冷凍サイクル５は、冷媒を圧縮する圧縮機７、放熱器としてのガスクーラ９、ストレーナ１１、開閉可能な第１〜第３電磁弁（開閉弁）１３，１４，１５、第１〜第３キャピラリチューブ（減圧手段）１６，１７，１８、第１〜第３蒸発器１９，２０，２１、及び、内部熱交換器２２を備えて構成されている。
【００２０】
圧縮機７は、冷凍サイクル５の高圧側で冷媒を超臨界圧力まで圧縮できるインバータ式のロータリコンプレッサであり、冷媒吸込管２３から吸い込まれた低圧冷媒を圧縮し、高温高圧の冷媒が冷媒吐出管２４に吐出される。
【００２１】
冷媒吐出管２４は、ガスクーラ９の入口側に接続され、このガスクーラ９の出口側にはストレーナ１１を有する出口側配管２６が接続されている。この出口側配管２６と、冷媒吸込管２３との間には、第１〜第３蒸発器１９，２０，２１が互いに並列に接続されている。第１〜第３蒸発器１９，２０，２１は、それぞれ第１冷却加温室２、第２冷却加温室３、冷却専用室４に配置されている。
【００２２】
ストレーナ１１と第１〜第３蒸発器１９，２０，２１との間には、冷媒の流れ方向に沿って、第１〜第３電磁弁１３，１４，１５、及び第１〜第３キャピラリチューブ１６，１７，１８がそれぞれ直列に設けられている。また、冷媒吸込管２３には、冷媒の逆流を防止する逆止弁２５が配置されている。
【００２３】
内部熱交換器２２は、冷媒吸込管２３とガスクーラ９の出口側配管２６との間に配置され、ガスクーラ９で冷却された高圧冷媒と、蒸発器１９，２０，２１でそれぞれ蒸発された低圧のガス冷媒との間で熱交換を行うものである。本実施の形態では、内部熱交換器２２を設けることにより、ガスクーラ９を通過した冷媒を更に冷却して冷却能力を上げることができる。
【００２４】
また、ガスクーラ９には、該ガスクーラ９に向けて送風するガスクーラ送風ファン２７が配置されている。同様に、第１〜第３蒸発器１９，２０，２１には、それぞれ第１〜第３蒸発器１９，２０，２１に向けて送風する第１〜第３蒸発器送風ファン２８，２９，３０と、第１〜第３蒸発器１９，２０，２１の温度を検出する第１〜第３蒸発器温度検知センサ３１，３２，３３が配置されている。
【００２５】
また、第１冷却加温室２、第２冷却加温室３には、それぞれ室内を加温するための第１〜第２電気ヒータ３４，３５が配置されている。更に、第１冷却加温室２、第２冷却加温室３、冷却専用室４には、各室内の温度を検出する第１〜第３室内温度検知センサ３６，３７，３８が設けられている。
【００２６】
自動販売機１００の各部は、コントローラ４０に基づいて運転制御され、冷却専用室４に収納される商品を適正な温度に冷却するとともに、ユーザの設定に応じて、第１冷却加温室２、第２冷却加温室３に収納される商品を適正な温度に冷却または加温する。
【００２７】
以上のように構成された自動販売機１００の動作を説明する。
【００２８】
まず、全室を冷却するように設定された場合は、圧縮機７から吐出された冷媒は、冷媒吐出管２４を流れてガスクーラ９に流入して冷却される。冷却された液冷媒は、３つに分配され、第１〜第３電磁弁１３，１４，１５を通過し、第１〜第３キャピラリチューブ１６，１７，１８で減圧された後に、第１〜第３蒸発器１９，２０，２１でそれぞれ蒸発気化して周囲の空気を冷却する。蒸発気化した冷媒は、再び合流して冷媒吸込管２３を通じて圧縮機７へと還流する。
【００２９】
本実施の形態では、冷却時に負荷を軽減するために、第１冷却加温室２、第２冷却加温室３、冷却専用室４のうち、室内温度が高い２つの室の電磁弁を開いて、該２室の冷却を行う。そして、一方の室が目標温度まで低下した場合には、この室の電磁弁を閉じ、他方の室と、冷却運転されなかった残りの室の電磁弁を開いて該２室の冷却を行う。そして、２つの室が目標温度まで冷却された場合には、残りの１室を目標温度まで冷却する。
【００３０】
次に、第１冷却加温室２を加温し、第２冷却加温室３、冷却専用室４を冷却するように設定された場合、第１電磁弁１３を閉じ，第２電磁弁１４及び第３電磁弁１５を開いて圧縮機７を起動する。この場合、第１電磁弁１３が閉じられるため、第１蒸発器１９には、ガスクーラ９で冷却された液冷媒が流れることはない。
【００３１】
一方、第１電気ヒータ３４に通電され、第１冷却加温室２が所定温度に達するまで加温が実行される。第１蒸発器送風ファン２８は運転され、第１電気ヒータ３４で加温した熱による第１冷却加温室２内の温度むらを防止している。
【００３２】
第２冷却加温室３、冷却専用室４の冷却動作については、上記した全室を冷却する場合と同様であるため、説明を省略する。
【００３３】
また、第２冷却加温室３を加温し、第１冷却加温室２、冷却専用室４を冷却するように設定された場合には、第２電磁弁１４を閉じ，第１電磁弁１３及び第３電磁弁１５を開いて圧縮機７を起動する。この場合、第２電気ヒータ３５に通電して第２冷却加温室３が所定温度に達するまで加温が実行される。また、第２蒸発器送風ファン２９は運転される。
【００３４】
更に、第１冷却加温室２及び第２冷却加温室３を加温し、冷却専用室４を冷却するように設定された場合には、第１電磁弁１３及び第２電磁弁１４を閉じ、第３電磁弁１５を開いて圧縮機７を起動する。この場合、第１電気ヒータ３４及び第２電気ヒータ３５に通電して第１冷却加温室２及び第２冷却加温室３がそれぞれ所定温度に達するまで加温が実行される。第１蒸発器送風ファン２８及び第２蒸発器送風ファン２９は運転される。
【００３５】
図２は、コントローラ４０の制御ブロック図である。
【００３６】
コントローラ４０は、自動販売機１００の動作全般を司る制御部４１と、この制御部４１の指示に基づいて、圧縮機７、第１電気ヒータ３４，３５、第１〜第３蒸発器送風ファン２８，２９，３０、第１〜第３電磁弁１３，１４，１５の動作をそれぞれ制御する圧縮機周波数制御部４２，ヒータ制御部４３，蒸発器送風ファン回転数制御部４４，電磁弁制御部４５とを備える。
【００３７】
制御部４１は、現在時刻を計測する時計部４７と、冷却設定されている室の蒸発器のデフロスト等のスケジュールを管理するスケジュール管理部４８とを備える。
【００３８】
また、コントローラ４０には、自動販売機１００の操作部に設けられた冷却加温設定部４６、第１〜第３蒸発器温度検知センサ３１，３２，３３、第１〜第３室内温度検知センサ３６，３７，３８、及び外気温度検知センサ３９が接続されている。
【００３９】
冷却加温設定部４６は、ユーザの操作に応じて、第１冷却加温室２及び第２冷却加温室３の冷却または加温動作を設定するもので、制御部４１は、これら各室の冷却設定または加温設定に基づいて、各電磁弁の開閉、各ヒータの運転、圧縮機の運転周波数等を制御する。
【００４０】
ところで、圧縮機７は、制御部４１及び圧縮機周波数制御部４２の制御下、図３に示すように、冷却運転されるすべての商品収納室の室内温度が所定のサーモオフ温度（Ｄ−２℃）に達すると、圧縮機７の運転を停止（サ―モオフ）する。また、冷却運転されるすべての商品収納室の室内温度が所定のサーモオン温度（Ｄ＋２℃）に達すると、圧縮機７の運転を開始（サ―モオン）する。
【００４１】
本実施の形態では、目標室内温度Ｄ（例えば３℃；所定温度）が規定されており、この目標室内温度Ｄは、サーモオフ温度よりも高く、サーモオン温度よりも低く設定されている。
【００４２】
このような構成の自動販売機１００では、ピークカット時間帯（例えば７月から９月の１３時から１６時）になった場合、圧縮機７と、第１〜第３電磁弁１３，１４，１５と、第１〜第３蒸発器送風ファン２８，２９，３０と、ガスクーラ送風ファン２７を停止することで、消費電力を低減している。
【００４３】
第１〜第３電磁弁１３，１４，１５をすべて閉じた状態では、冷凍サイクル５内の高圧側（圧縮機７の吐出側）と低圧側（第１〜第３蒸発器１９，２０，２１）との圧力差が生じている。冷凍サイクル５内に圧力差が生じたまま、圧縮機７をサーモオンさせると、圧縮機７の起動時の負荷が大きくなる。このため、圧縮機７の起動に先だって冷凍サイクル５内の圧力を均圧化することが好ましい。
【００４４】
第１冷却加温室２は自動販売機１００の外側に位置しており、侵入熱量が多いために、ピークカット終了後の室内温度が最も高い。冷却専用室４も自動販売機１００の外側に位置しており、侵入熱量が第１冷却加温室２と同じ位に多いが、冷却商品を優先的に販売するために室内容積が大きい分、熱容量も大きいので、ピークカット終了後の室内温度は第１冷却加温室２の次に高い。
【００４５】
第２冷却加温室３は自動販売機１００の最も内側に位置しており、侵入熱量が最も少ないので、ピークカット終了後の室内温度は最も低い。
【００４６】
ピークカットが終了して再び冷却しようとするとき、最も温度の高い第１冷却加温室２の第１蒸発器１９に接続された第１電磁弁１３を最初に開放することとなり、冷凍サイクル５内の高温高圧の冷媒が最も多く流入して、ピークカットによる温度上昇に加えて、高温高圧の冷媒の流入によりさらに室内温度が上昇するといった問題があった。
【００４７】
本構成では、ピークカットが終了して再び冷却しようとするとき、圧縮機７が起動する前に、最も温度の高い室内の蒸発器に接続された電磁弁を開放するのではなく、最も温度の低い室内の蒸発器に接続された電磁弁を最初に開く。この動作制御は、制御部４１及び電磁弁制御部４５が行い、これら制御部４１及び電磁弁制御部４５が開閉弁制御部として機能する。
【００４８】
具体的には、図３に示すように、所定条件として、ピークカット時間帯の室内温度の高い順番が、第１冷却加温室２・冷却専用室４・第２冷却加温室３のとき、ピークカット時間帯が過ぎて冷却を再開するとき、圧縮機７が起動する前に、第２冷却加温室３の第２電磁弁１４を最初に開く。
【００４９】
この構成によれば、ピークカットが終了して再び冷却しようとするとき、圧縮機７が起動する前に、最も温度の高い第１冷却加温室２の第１蒸発器１９に接続された第１電磁弁１３を開放するのではなく、最も温度の低い第２冷却加温室３の第２蒸発器２０に接続された第２電磁弁１４を最初に開くこととなり、最も温度の低い第２冷却加温室３の第２蒸発器２０に高温高圧冷媒が供給されて、この室内の温度が上昇し、最も温度の高い第１冷却加温室２の第１蒸発器１９には高温高圧の冷媒が供給されず、更なる温度上昇を防止することができる。
【００５０】
これにより、ピークカットが終了して冷却商品が販売されるとき、ぬるい商品を販売することを防止できるととともに、次のピークカットに向けて冷やしこむ時間を短縮するこ
とができる。
【００５１】
また、本実施の形態では、ピークカットが終了して再び冷却しようとするとき、圧縮機７が起動する前に、最も温度の高い室内の蒸発器に接続された電磁弁を開放するのではなく、最も温度の低い室内の蒸発器に接続された電磁弁を最初に開いてから所定時間経過後に、他の室内の電磁弁を随時開く。
【００５２】
具体的には、図３に示すように、所定条件として、ピークカット時間帯の室内温度の高い順番が、第１冷却加温室２・冷却専用室４・第２冷却加温室３のとき、ピークカットが終了して再び冷却しようとするとき、圧縮機７が起動する前に、最も温度の高い第１冷却加温室２の第１蒸発器１９に接続された第１電磁弁１３を開放するのではなく、最も温度の低い第２冷却加温室３の第２蒸発器２０に接続された第２電磁弁１４を最初に開いてから所定時間経過後に、第３電磁弁１５と第１電磁弁１３を随時開く。
【００５３】
これにより、冷凍サイクル５の高圧側から低圧側へ高温高圧の冷媒が流れる流路が増えることとなり、圧縮機７が起動する前に、冷凍サイクル５の高圧側と低圧側の圧力差をより早く均一にすることができ、圧縮機７の起動負荷を低減することができる。
【００５４】
また、本実施の形態では、ピークカットが終了して再び冷却しようとするとき、圧縮機７が起動すると同時に、最も温度の高い室内の蒸発器に接続された電磁弁を開放するのではなく、最も温度の低い室内の蒸発器に接続された電磁弁を最初に開いてから所定時間経過後に、他の室内の電磁弁を随時開く。
【００５５】
具体的には、図４に示すように、所定条件として、ピークカット時間帯の室内温度の高い順番が、第１冷却加温室２・冷却専用室４・第２冷却加温室３のとき、ピークカットが終了して再び冷却しようとするとき、圧縮機７が起動すると同時に、最も温度の高い第１冷却加温室２の第１蒸発器１９に接続された第１電磁弁１３を開放するのではなく、最も温度の低い第２冷却加温室３の第２蒸発器２０に接続された第２電磁弁１４を最初に開いてから所定時間経過後に、第３電磁弁１５と第１電磁弁１３を随時開いても同様の効果が得られる。
【００５６】
これまでは、室内温度により電磁弁を開く順番を判定してきたが、室内に侵入する熱量である吸熱量により判定しても同じ効果を得ることができるので、以下に吸熱量をもとにした動作を記載する。
【００５７】
本構成では、ピークカットが終了して再び冷却しようとするとき、圧縮機７が起動する前に、最も吸熱量の多い室内の蒸発器に接続された電磁弁を開放するのではなく、最も吸熱量の少ない室内の蒸発器に接続された電磁弁を最初に開く。この動作制御は、制御部４１及び電磁弁制御部４５が行い、これら制御部４１及び電磁弁制御部４５が開閉弁制御部として機能する。
【００５８】
具体的には、図３に示すように、所定条件として、ピークカット時間帯の吸熱量の多い順番が、第１冷却加温室２・冷却専用室４・第２冷却加温室３のとき、ピークカット時間帯が過ぎて冷却を再開するとき、圧縮機７が起動する前に、第２冷却加温室３の第２電磁弁１４を最初に開く。
【００５９】
この構成によれば、ピークカットが終了して再び冷却しようとするとき、圧縮機７が起動する前に、最も吸熱量の多い第１冷却加温室２の第１蒸発器１９に接続された第１電磁弁１３を開放するのではなく、最も吸熱量の少ない第２冷却加温室３の第２蒸発器２０に接続された第２電磁弁１４を最初に開くこととなり、最も吸熱量の少ない第２冷却加温室
３の第２蒸発器２０に高温高圧冷媒が供給されて、この室内の温度が上昇し、最も吸熱量の多い第１冷却加温室２の第１蒸発器１９には高温高圧の冷媒が供給されず、更なる温度上昇を防止することができる。
【００６０】
これにより、ピークカットが終了して冷却商品が販売されるとき、ぬるい商品を販売することを防止できるととともに、次のピークカットに向けて冷やしこむ時間を短縮することができる。
【００６１】
また、本実施の形態では、ピークカットが終了して再び冷却しようとするとき、圧縮機７が起動する前に、最も吸熱量の多い室内の蒸発器に接続された電磁弁を開放するのではなく、最も吸熱量の少ない室内の蒸発器に接続された電磁弁を最初に開いてから所定時間経過後に、他の室内の電磁弁を随時開く。
【００６２】
具体的には、図３に示すように、所定条件として、ピークカット時間帯の吸熱量の多い順番が、第１冷却加温室２・冷却専用室４・第２冷却加温室３のとき、ピークカットが終了して再び冷却しようとするとき、圧縮機７が起動する前に、最も吸熱量の多い第１冷却加温室２の第１蒸発器１９に接続された第１電磁弁１３を開放するのではなく、最も吸熱量の少ない第２冷却加温室３の第２蒸発器２０に接続された第２電磁弁１４を最初に開いてから所定時間経過後に、第３電磁弁１５と第１電磁弁１３を随時開く。
【００６３】
これにより、冷凍サイクル５の高圧側から低圧側へ高温高圧の冷媒が流れる流路が増えることとなり、圧縮機７が起動する前に、冷凍サイクル５の高圧側と低圧側の圧力差をより早く均一にすることができ、圧縮機７の起動負荷を低減することができる。
【００６４】
また、本実施の形態では、ピークカットが終了して再び冷却しようとするとき、圧縮機７が起動すると同時に、最も吸熱量の多い室内の蒸発器に接続された電磁弁を開放するのではなく、最も吸熱量の少ない室内の蒸発器に接続された電磁弁を最初に開いてから所定時間経過後に、他の室内の電磁弁を随時開く。
【００６５】
具体的には、図４に示すように、所定条件として、ピークカット時間帯の吸熱量の多い順番が、第１冷却加温室２・冷却専用室４・第２冷却加温室３のとき、ピークカットが終了して再び冷却しようとするとき、圧縮機７が起動すると同時に、最も吸熱量の多い第１冷却加温室２の第１蒸発器１９に接続された第１電磁弁１３を開放するのではなく、最も吸熱量の少ない第２冷却加温室３の第２蒸発器２０に接続された第２電磁弁１４を最初に開いてから所定時間経過後に、第３電磁弁１５と第１電磁弁１３を随時開いても同様の効果が得られる。
【００６６】
上記した実施の形態では、室内温度の所定条件として、ピークカット時間帯の室内温度の高い順番を、第１冷却加温室２・冷却専用室４・第２冷却加温室３としたが、この順番に限るものではない。また、吸熱量の所定条件として、吸熱量の多い順番を、第１冷却加温室２・冷却専用室４・第２冷却加温室３としたが、この順番に限るものではない。
【００６７】
以上説明したように、本実施の形態によれば、第１冷却加温室２、第２冷却加温室３及び冷却専用室４にそれぞれ並列に接続配置される第１〜第３蒸発器１９，２０，２１と、これら第１〜第３蒸発器１９，２０，２１に冷媒を供給する圧縮機７と、を備える自動販売機１００において、第１〜第３蒸発器１９，２０，２１には、それぞれ第１〜第３蒸発器１９，２０，２１に冷媒を供給するために開閉する第１〜第３電磁弁１３，１４，１５が接続され、ピークカットが終了して再び冷却しようとするとき、圧縮機７が起動する前に、最も温度の高い室内の蒸発器に接続された電磁弁を開放するのではなく、最も温度の低い室内の蒸発器に接続された電磁弁を最初に開くこととなり、最も温度の低い室内の蒸
発器に高温高圧冷媒が供給されてこの室内の温度が上昇し、最も温度の高い室内の蒸発器には高温高圧の冷媒が供給されず更なる温度上昇を防止することができる。
【００６８】
これにより、ピークカットが終了して冷却商品が販売されるとき、ぬるい商品を販売することを防止できるととともに、次のピークカットに向けて冷やしこむ時間を短縮することができる。
【００６９】
また、本実施の形態によれば、ピークカットが終了して再び冷却しようとするとき、圧縮機７が起動する前に、最も温度の高い室内の蒸発器に接続された電磁弁を開放するのではなく、最も温度の低い室内の蒸発器に接続された電磁弁を最初に開いてから所定時間経過後に、他の室内の電磁弁を随時開く。
【００７０】
これにより、冷凍サイクル５の高圧側から低圧側へ高温高圧の冷媒が流れる流路が増えることとなり、圧縮機７が起動する前に、冷凍サイクル５の高圧側と低圧側の圧力差をより早く均一にすることができ、圧縮機７の起動負荷を低減することができる。
【００７１】
また、本実施の形態では、ピークカットが終了して再び冷却しようとするとき、圧縮機７が起動すると同時に、最も温度の高い室内の蒸発器に接続された電磁弁を開放するのではなく、最も温度の低い室内の蒸発器に接続された電磁弁を最初に開いてから所定時間経過後に、他の室内の電磁弁を随時開いても同様の効果が得られる。
【００７２】
また、本実施の形態では、ピークカットが終了して再び冷却しようとするとき、圧縮機７が起動する前に、最も吸熱量の多い室内の蒸発器に接続された電磁弁を開放するのではなく、最も吸熱量の少ない室内の蒸発器に接続された電磁弁を最初に開くこととなり、最も吸熱量の少ない室内の蒸発器に高温高圧冷媒が供給されて、この室内の温度が上昇し、最も吸熱量の多い室内の蒸発器には高温高圧の冷媒が供給されず、更なる温度上昇を防止することができる。
【００７３】
これにより、ピークカットが終了して冷却商品が販売されるとき、ぬるい商品を販売することを防止できるととともに、次のピークカットに向けて冷やしこむ時間を短縮することができる。
【００７４】
また、本実施の形態によれば、ピークカットが終了して再び冷却しようとするとき、圧縮機７が起動する前に、最も吸熱量の多い室内の蒸発器に接続された電磁弁を開放するのではなく、最も吸熱量の少ない室内の蒸発器に接続された電磁弁を最初に開いてから所定時間経過後に、他の室内の電磁弁を随時開く。
【００７５】
これにより、冷凍サイクル５の高圧側から低圧側へ高温高圧の冷媒が流れる流路が増えることとなり、圧縮機７が起動する前に、冷凍サイクル５の高圧側と低圧側の圧力差をより早く均一にすることができ、圧縮機７の起動負荷を低減することができる。
【００７６】
また、本実施の形態では、ピークカットが終了して再び冷却しようとするとき、圧縮機７が起動すると同時に、最も吸熱量の多い室内の蒸発器に接続された電磁弁を開放するのではなく、最も吸熱量の少ない室内の蒸発器に接続された電磁弁を最初に開いてから所定時間経過後に、他の室内の電磁弁を随時開いても同様の効果が得られる。
【００７７】
さて、本実施の形態では、冷却加温室を加温する加温部として電気ヒータを備える構成について説明したが、これに限るものではなく、冷却によって生じる廃熱を利用して加温を行う熱交換器（加温部）を設けた構成としても良い。
【００７８】
図５は、別の実施の形態にかかる自動販売機２００の冷媒回路図である。この図５において、上記した実施の形態と同一の構成については同一の符号を付して説明を省略する。
【００７９】
上記実施の形態との相違点を説明すると、圧縮機７の冷媒吐出管２４には、三方弁５０が設けられ、この三方弁５０には、第１冷却加温室２内に配置される庫内ガスクーラ５１の冷媒入口側配管５２が接続され、この庫内ガスクーラ５１の冷媒出口側配管５３は、三方弁５０とガスクーラ９との間で冷媒吐出管２４に接続される。
【００８０】
庫内ガスクーラ５１は、第１蒸発器１９とフィンを共用した一体型熱交換器として形成されている。
【００８１】
この庫内ガスクーラ５１には、圧縮機７から吐出された高温高圧の冷媒が流入することで、第１冷却加温室２内を加温することができ、この庫内ガスクーラ５１が加温部として機能する。
【００８２】
また、ガスクーラ９には、このガスクーラ９とフィンを共用した庫外蒸発器５８が設けられ、この庫外蒸発器５８の冷媒出口側配管５４は、圧縮機７の冷媒吸込管２３に接続されている。また、庫外蒸発器５８の冷媒入口側配管５５は、庫外キャピラリチューブ５６及び庫外電磁弁５７を有して、ガスクーラ９の出口側配管２６に接続されている。
【００８３】
庫外蒸発器５８は、第１冷却加温室２を加温するために、庫内ガスクーラ５１に冷媒を流通させた場合の熱バランスを図るための蒸発器であり、庫外電磁弁５７を開放して、庫外蒸発器５８に冷媒を流通される。
【００８４】
このように、第１冷却加温室２を加温する加温部として、第１電気ヒータ３４だけでなく、冷凍サイクルにおける冷却によって生じる廃熱を利用して加温を行う庫内ガスクーラ５１を設ける構成とすることもできる。
【００８５】
また、上記した実施の形態では、冷媒として二酸化炭素冷媒を使用した構成について説明したが、冷媒はＨＦＣ冷媒を含む既存の冷媒であれば限定されるものではない。
【００８６】
また、上記した実施の形態では、冷却運転される商品収納室が３つの場合について説明したが、複数であれば、冷却運転される商品収納室が２つでも４つ以上であっても構わないのは勿論である。
【００８７】
また、上記した実施の形態では、開閉弁としての電磁弁と減圧手段としてのキャピラリチューブとを備える構成としているが、開度を自在に変更できる電動膨張弁を設け、この電動膨張弁が開閉弁と減圧手段との機能を合わせもつ構成としてもよい。
【産業上の利用可能性】
【００８８】
本発明の自動販売機は、ピークカットが終了して再び冷却しようとするとき、室内温度上昇の抑制を図ることができるので、冷凍サイクルを用いて缶飲料などの商品を冷却または加温して販売する自動販売機に好適である。
【符号の説明】
【００８９】
２  第１冷却加温室（ホット／コールド切替商品収納室）
３  第２冷却加温室（ホット／コールド切替商品収納室）
４  冷却専用室（コールド専用商品収納室）
５  冷凍サイクル
７  圧縮機
９  ガスクーラ
１３  第１電磁弁（開閉弁）
１４  第２電磁弁（開閉弁）
１５  第３電磁弁（開閉弁）
１９  第１蒸発器
２０  第２蒸発器
２１  第３蒸発器
３４  第１電気ヒータ（加温部）
３５  第２電気ヒータ（加温部）
４０  コントローラ
４１  制御部（開閉弁制御部）
４５  電磁弁制御部（開閉弁制御部）
１００、２００  自動販売機
Ｄ  目標室内温度（所定温度）
【図１】
2016170691.tif 000003
【図２】
2016170691.tif 000004
【図３】
2016170691.tif 000005
【図４】
2016170691.tif 000006
【図５】
2016170691.tif 000007